(57)【特許請求の範囲】
【請求項１】
互いに連結される一対のカバー部材と、
一方のカバー部材の周縁と他方のカバー部材の周縁との間の開口を開閉するファスナーとを備え、
両カバー部材の間が収納空間を構成する容器において、
その開口の閉鎖状態における両カバー部材間の最大距離が変更可能とされていることを特徴とする容器。
【請求項２】
両カバー部材は前記ファスナーを介して相対揺動可能に互いに連結され、
そのファスナーは、一対のテープと、各テープに設けられる歯と、スライダーとを有し、
一方のテープは、一方のカバー部材の一側面側にカバー部材の周縁に沿って連結され、他方のテープは、他方のカバー部材の一側面側にカバー部材の周縁に沿って連結され、
そのスライダーは、一方のテープの歯と他方のテープの歯との噛み合い及び噛み合い解除を行うことができるように、両テープに相対移動可能に接続され、
両カバー部材の相対揺動により、一方のカバー部材の一側面側と他方のカバー部材の一側面側とが対向する大容量状態から、一方のカバー部材の他側面側と他方のカバー部材の他側面側とが対向する小容量状態に、状態変更可能とされ、
その開口の閉鎖状態における両カバー部材間の最大距離が大容量状態では小容量状態よりも大きくなるように、大容量状態では、両テープの歯は両テープを曲げることなく両カバー部材の間に配置可能とされ、小容量状態では、両テープの歯は両テープが各カバー部材の周縁に沿って曲げられることで両カバー部材の間に配置可能とされている請求項１に記載の容器。
【請求項３】
両カバー部材は前記ファスナーを介して互いに連結され、
そのファスナーは、一対のテープと、補助テープと、各テープと補助テープに設けられる歯と、スライダーとを有し、
一方のテープは、一方のカバー部材にカバー部材の周縁に沿って連結され、他方のテープは、他方のカバー部材にカバー部材の周縁に沿って連結され、その補助テープは、一方のカバー部材にカバー部材の周縁に沿って連結され、
そのスライダーは、一方のテープの歯と他方のテープの歯との噛み合い及び噛み合い解除を行うことができるように、両テープに相対移動可能に接続されると共に一方のテープから取り外し可能とされ、且つ、その補助テープの歯と他方のテープの歯との噛み合い及び噛み合い解除を行うことができるように、その補助テープと他方のテープとに相対移動可能に接続されると共に補助テープから取り外し可能とされ、
一方のテープにおける一方のカバー部材との連結位置から歯までの距離が、補助テープにおける一方のカバー部材との連結位置から歯までの距離よりも大きくされることで、その開口の閉鎖状態における両カバー部材間の最大距離が変更可能とされている請求項１に記載の容器。
【請求項４】
前記ファスナーは、前記一方の補助テープとは別の他方の補助テープを有し、
その他方の補助テープは、他方のカバー部材にカバー部材の周縁に沿って連結され、
そのスライダーは、前記他方のテープと他方の補助テープとから取り外し可能とされ、且つ、その他方の補助テープの歯と一方の補助テープの歯との噛み合い及び噛み合い解除を行うことができるように、両補助テープに相対移動可能に接続され、
他方のテープにおける他方のカバー部材との連結位置から歯までの距離が、他方の補助テープにおける他方のカバー部材との連結位置から歯までの距離よりも大きくされることで、その開口の閉鎖状態における両カバー部材間の最大距離が変更可能とされている請求項３に記載の容器。
【請求項５】
各カバー部材は、ネットと、このネットの周縁に取り付けられる環状部材とを有し、
その環状部材の剛性は前記ネットの剛性よりも大きくされ、
前記開口をファスナーにより閉鎖することで、前記収納空間に収納された洗濯物を両ネットにより挟み込み可能な請求項１に記載の容器。
【請求項６】
その環状部材を洗濯機の洗濯槽の内周に押し付けることで、洗濯槽に対する相対変位が規制可能とされている請求項５に記載の容器。
【請求項７】
その環状部材は弾性を有し、その環状部材を前記洗濯槽の内周に弾性変形した状態で押し付けることで、その洗濯槽に対する相対変位が規制可能とされている請求項６に記載の容器。
【請求項８】
各ネットは折り畳み可能とされ、その環状部材は弾性的に曲げ及び捩れ可能な金属製とされている請求項５に記載の容器。
【発明の詳細な説明】
【０００１】
【発明の属する技術分野】
本発明は、例えば洗濯物を洗濯時に収納する洗濯ネットや、物品収納用バッグ等として利用できる容器に関する。
【０００２】
【従来の技術と発明が解決しようとする課題】
互いに連結される一対のカバー部材と、一方のカバー部材の周縁と他方のカバー部材の周縁との間の開口を開閉するファスナーとを備え、両カバー部材の間が収納空間を構成する容器が、種々の用途に利用されている。
【０００３】
例えば、その一対のカバー部材をネットにより構成し、両ネットにより洗濯物を挟み込むことで、洗濯物の型崩れを防止する洗濯用ネットになる。
しかし、両カバー部材間の最大距離が小さいと、容器内に収納可能な洗濯物の量が制限されてしまう。一方、両カバー部材間の最大距離が大きいと、少量の洗濯物を挟み込む力が低下するため、洗濯物の型崩れを防止できない。
【０００４】
また、そのような容器を物品収納用バッグとして利用する場合、その収納容積を大きくすると収納物品が少ない場合は不必要に嵩張り、その収納容積を小さくすると収納可能な物品量が制限される。
【０００５】
本発明は、上記問題を解決することのできる容器を提供することを目的とする。
【０００６】
【課題を解決するための手段】
本発明は、互いに連結される一対のカバー部材と、一方のカバー部材の周縁と他方のカバー部材の周縁との間の開口を開閉するファスナーとを備え、両カバー部材の間が収納空間を構成する容器において、その開口の閉鎖状態における両カバー部材間の最大距離が変更可能とされていることを特徴とする。
本発明の構成によれば、両カバー部材の間に収納される物品の量に応じて、両カバー部材間の最大距離を変更できる。
【０００７】
両カバー部材は前記ファスナーを介して相対揺動可能に互いに連結され、そのファスナーは、一対のテープと、各テープに設けられる歯と、スライダーとを有し、一方のテープは、一方のカバー部材の一側面側にカバー部材の周縁に沿って連結され、他方のテープは、他方のカバー部材の一側面側にカバー部材の周縁に沿って連結され、そのスライダーは、一方のテープの歯と他方のテープの歯との噛み合い及び噛み合い解除を行うことができるように、両テープに相対移動可能に接続され、両カバー部材の相対揺動により、一方のカバー部材の一側面側と他方のカバー部材の一側面側とが対向する大容量状態から、一方のカバー部材の他側面側と他方のカバー部材の他側面側とが対向する小容量状態に、状態変更可能とされ、その開口の閉鎖状態における両カバー部材間の最大距離が大容量状態では小容量状態よりも大きくなるように、大容量状態では、両テープの歯は両テープを曲げることなく両カバー部材の間に配置可能とされ、小容量状態では、両テープの歯は両テープが各カバー部材の周縁に沿って曲げられることで両カバー部材の間に配置可能とされているのが好ましい。
この構成によれば、一方のテープは一方のカバー部材の一側面側に連結され、他方のテープは他方のカバー部材の一側面側に連結されるので、一方のカバー部材の一側面側と他方のカバー部材の一側面側とが対向する大容量状態では、両テープの歯は両テープを曲げることなく両カバー部材の間に配置される。また、一方のカバー部材の他側面側と他方のカバー部材の他側面側とが対向する小容量状態では、両テープの歯は両テープが各カバー部材の周縁に沿って曲げられることで両カバー部材の間に配置される。よって、その開口の閉鎖状態における両カバー部材間の大容量状態での最大距離は、小容量状態での最大距離よりも、小容量状態で両テープがカバー部材の周縁に沿う分だけ大きくなる。これにより、両カバー部材を相対揺動させるだけの簡単な操作で、開口の閉鎖状態における両カバー部材間の最大距離を変更できる。
【０００８】
両カバー部材は前記ファスナーを介して互いに連結され、そのファスナーは、一対のテープと、補助テープと、各テープと補助テープとに設けられる歯と、スライダーとを有し、一方のテープは、一方のカバー部材にカバー部材の周縁に沿って連結され、他方のテープは、他方のカバー部材にカバー部材の周縁に沿って連結され、その補助テープは、一方のカバー部材にカバー部材の周縁に沿って連結され、そのスライダーは、一方のテープの歯と他方のテープの歯との噛み合い及び噛み合い解除を行うことができるように、両テープに相対移動可能に接続されると共に一方のテープから取り外し可能とされ、且つ、その補助テープの歯と他方のテープの歯との噛み合い及び噛み合い解除を行うことができるように、その補助テープと他方のテープとに相対移動可能に接続されると共に補助テープから取り外し可能とされ、一方のテープにおける一方のカバー部材との連結位置から歯までの距離が、補助テープにおける一方のカバー部材との連結位置から歯までの距離よりも大きくされることで、その開口の閉鎖状態における両カバー部材間の最大距離が変更可能とされているのが好ましい。
この構成によれば、一方のテープにおける一方のカバー部材との連結位置から歯までの距離が、補助テープにおける一方のカバー部材との連結位置から歯までの距離よりも大きいので、一方のテープの歯と他方のテープの歯との噛み合い状態における両カバー部材間の最大距離を、補助テープの歯と他方のテープの歯との噛み合い状態における両カバー部材間の最大距離よりも大きくできる。
【０００９】
そのファスナーは、前記一方の補助テープとは別の他方の補助テープを有し、その他方の補助テープは、他方のカバー部材にカバー部材の周縁に沿って連結され、そのスライダーは、前記他方のテープと他方の補助テープとから取り外し可能とされ、且つ、その他方の補助テープの歯と一方の補助テープの歯との噛み合い及び噛み合い解除を行うことができるように、両補助テープに相対移動可能に接続され、他方のテープにおける他方のカバー部材との連結位置から歯までの距離が、他方の補助テープにおける他方のカバー部材との連結位置から歯までの距離よりも大きくされることで、その開口の閉鎖状態における両カバー部材間の最大距離が変更可能とされているのが好ましい。
この構成によれば、他方のテープにおける他方のカバー部材との連結位置から歯までの距離が、他方の補助テープにおける他方のカバー部材との連結位置から歯までの距離よりも大きいので、補助テープの歯と他方のテープの歯との噛み合い状態における両カバー部材間の最大距離を、補助テープの歯と他方の補助テープの歯との噛み合い状態における両カバー部材間の最大距離よりも大きくできる。
【００１０】
本発明の容器において、各カバー部材は、ネットと、このネットの周縁に取り付けられる環状部材とを有し、その環状部材の剛性は前記ネットの剛性よりも大きくされ、前記開口をファスナーにより閉鎖することで、前記収納空間に収納された洗濯物を両ネットにより挟み込み可能であるのが好ましい。これにより、洗濯物を本発明の容器に収納して洗濯機により洗濯する際に、その洗濯物を両ネットにより挟み込むことで、その洗濯物の型崩れを防止できる。
【００１１】
本発明の容器は、環状部材を洗濯機の洗濯槽の内周に押し付けることで、洗濯槽に対する相対変位が規制可能とされているのが好ましい。これにより、その容器が洗濯槽で水流により動き回るのを阻止できるので、洗濯物の型崩れをより効果的に防止できる。
【００１２】
本発明の容器において、その環状部材は弾性を有し、その環状部材を前記洗濯槽の内周に弾性変形した状態で押し付けることで、その洗濯槽に対する相対変位が規制可能とされているのが好ましい。これにより、その洗濯槽と環状部材との間の摩擦を大きくし、通水性部材の洗濯槽に対する相対変位を確実に規制できる。
【００１３】
さらに、各ネットは折り畳み可能とされ、その環状部材は弾性的に曲げ及び捩れ可能な金属製とされているのが好ましい。これにより、その容器をコンパクトに収納することができる。
【００１４】
【発明の実施の形態】
以下、図１〜図７を参照して本発明の第１実施形態を説明する。
【００１５】
図１、図２に示す洗濯用ネットとして利用される容器１は、一対の平板状カバー部材２ａ、２ｂと、一方のカバー部材２ａの周縁と他方のカバー部材２ｂの周縁との間の開口を開閉するファスナー３とを備え、両カバー部材２ａ、２ｂの間が洗濯物１０の収納空間を構成する。各カバー部材２ａ、２ｂは、ネット４ａ、４ｂと、このネット４ａ、４ｂの周縁に取り付けられる環状部材５ａ、５ｂとを有する。
【００１６】
各ネット４ａ、４ｂは折り畳み可能なもので、柔軟性を有する例えば合成樹脂製の繊維から編み上げられる。なお、各ネット４ａ、４ｂの網目の形状や構造は特に限定されない。
【００１７】
その環状部材５ａ、５ｂは、ネット４ａ、４ｂよりも剛性が大きく弾性を有するものとされ、本実施形態では、断面矩形の金属製線状部材から構成されている。本実施形態では、各環状部材５ａ、５ｂは、ネット４ａ、４ｂの外周に縫い付けられた布製のパイプ状部材６ａ、６ｂに挿通されることで、ネット４ａ、４ｂの周縁に取り付けられている。なお、そのパイプ状部材６ａ、６ｂの材質は特に限定されない。また、各環状部材５ａ、５ｂのネット４ａ、４ｂへの取り付け方は特に限定されず、例えば、各環状部材５ａ、５ｂとネット４ａ、４ｂとを直接に連結してもよい。
【００１８】
図３にも示すように、そのファスナー３は、一対のテープ３ａ、３ｂと、各テープ３ａ、３ｂの長手方向に沿う一側縁に並列状に設けられる歯３ｃ、３ｄと、スライダー３ｅと、そのスライダー３ｅに取り付けられる摘み３ｆとから構成されている。
【００１９】
両テープ３ａ、３ｂは可撓性を有するもので、例えば布製とされる。そのスライダー３ｅは、一方のテープ３ａの歯３ｃと他方のテープ３ｂの歯３ｄとの噛み合い及び噛み合い解除を行うことができるように、両テープ３ａ、３ｂに相対移動可能に接続される。
【００２０】
一方のテープ３ａの一端と他方のテープ３ｂの一端とは、スライダー３ｅの移動のストッパーを兼用する連結具３ｈを介して互いに接続される。各テープ３ａ、３ｂの他端には、それぞれスライダー３ｅの移動のストッパー３ｉ、３ｊが取り付けられている。
【００２１】
図４の（１）、（２）に示すように、一方のテープ３ａの他側縁は、一方のカバー部材２ａに縫い付けられた上記パイプ状部材６ａに縫い付けられることで、一方のカバー部材２ａの一側面２ａ′側にカバー部材２ａの周縁に沿って連結される。他方のテープ３ｂの他側縁は、他方のカバー部材２ｂに縫い付けられた上記パイプ状部材６ｂに縫い付けられることで、他方のカバー部材２ｂの一側面２ｂ′側にカバー部材２ｂの周縁に沿って連結される。
【００２２】
一方のカバー部材２ａに連結される一方のテープ３ａと、他方のカバー部材２ｂに連結される他方のテープ３ｂとが、スライダー３ｅと連結具３ｈとを介して連結されることで、両カバー部材２ａ、２ｂはファスナー３を介して互いに連結される。両テープ３ａ、３ｂが可撓性を有することで、両カバー部材２ａ、２ｂは相対揺動可能とされている。その相対揺動により、図４の（１）に示すように、一方のカバー部材２ａの一側面２ａ′側と他方のカバー部材２ｂの一側面２ｂ′側とが対向する大容量状態から、図４の（２）に示すように、一方のカバー部材２ａの他側面２ａ″側と他方のカバー部材２ｂの他側面２ｂ″側とが対向する小容量状態に、状態変更可能とされている。
【００２３】
その大容量状態では、両テープ３ａ、３ｂの歯３ｃ、３ｄは、両テープ３ａ、３ｂを曲げることなく両カバー部材２ａ、２ｂの間に配置される。一方、その小容量状態では、両テープ３ａ、３ｂの歯３ｃ、３ｄは、両テープ３ａ、３ｂが各カバー部材２ａ、２ｂの周縁に沿って曲げられることで両カバー部材２ａ、２ｂの間に配置される。これにより、一方のカバー部材２ａの周縁と他方のカバー部材２ｂの周縁との間の開口をファスナー３により閉鎖した状態においては、大容量状態での両カバー部材２ａ、２ｂ間の最大距離Ｄ′は、小容量状態での両カバー部材２ａ、２ｂ間の最大距離Ｄ″よりも、小容量状態で両テープ３ａ、３ｂがカバー部材２ａ、２ｂの周縁に沿う分だけ大きくなる。これにより、その開口の閉鎖状態における両カバー部材２ａ、２ｂ間の最大距離が変更可能とされている。
【００２４】
上記構成において、スライダー３ｅの一方向への移動により一方のテープ３ｂ側の歯３ｃと他方のテープ３ｂ側の歯３ｄとを互いに噛み合わせることで、両カバー部材２ａ、２ｂの間の収納空間に収納された洗濯物１０を、両ネット４ａ、４ｂにより挟み込むことができる。また、そのスライダー３ｅの他方向への移動により一方のテープ３ｂ側の歯３ｃと他方のテープ３ｂ側の歯３ｄとの間の噛み合わせを解除することで、その収納空間から洗濯物１０を取り出すことができる。
【００２５】
その大容量状態でも小容量状態でもスライダー３ｅを移動させることができるように、図５の（１）に示すように、摘み３ｆはスライダー３ｅにガイド３ｋを介して取り付けられている。その摘み３ｆは、そのガイド３ｋに沿って移動することで、大容量状態でも小容量状態でも容器１の外部側に配置可能とされている。なお、図５の（２）に示すように、スライダー３ｅに、大容量状態で容器１の外部側に配置される摘み３ｆ′と小容量状態で容器１の外部側に配置される摘み３ｆ″とを取り付けててもよい。
【００２６】
図６の（１）〜（４）に示すように、洗濯機の洗濯槽２０の内部において、上記一対のカバー部材２ａ、２ｂのネット４ａ、４ｂにより洗濯物１０を挟み込んだ容器１の洗濯槽２０に対する相対変位が規制可能とされている。すなわち、図６の（１）では、洗濯槽２０の内周寸法と容器１の外周寸法が略一致し、上記環状部材５ａ、５ｂは僅かに弾性変形した状態で洗濯槽２０の内周に押し付けられる。図６の（２）では、洗濯槽２０の内周寸法よりも容器１の外周寸法が大きく、上記環状部材５ａ、５ｂは上面が凸曲面となるように弾性変形した状態で洗濯槽２０の内周に押し付けられる。図６の（３）では、洗濯槽２０の内周寸法よりも容器１の外周寸法が大きく、上記環状部材５ａ、５ｂは水平に対し傾斜すると共に僅かに弾性変形した状態で洗濯槽２０の内周に押し付けられる。図６の（４）では、洗濯槽２０の内周寸法よりも容器１の外周寸法が大きく、上記環状部材５ａ、５ｂは下面が凸曲面となるように弾性変形した状態で洗濯槽２０の内周に押し付けられる。何れの場合も、その洗濯槽２０と環状部材５ａ、５ｂとの間の摩擦により容器１の洗濯槽２０に対する相対変位が規制される。
【００２７】
その洗濯物１０をネット４ａ、４ｂにより挟み込んだ容器１の洗濯槽２０に対する相対変位を規制することで、洗濯時にパルセータ２１が回転することで旋回する水流が生じても、その洗濯槽２０内で容器１が動き回るのを阻止できる。これにより、そのネット４ａ、４ｂに挟み込まれた洗濯物１０の型崩れを充分に防止できる。また、洗濯物１０を傷つけないためにネット４ａ、４ｂとして柔軟性に富むものを用いた場合に、各ネット４ａ、４ｂよりも剛性の大きな環状部材５ａ、５ｂを洗濯槽２０の内周に押し付けることで、その洗濯槽２０と環状部材５ａ、５ｂとの間の摩擦によりネット４ａ、４ｂの洗濯槽２０に対する相対変位を規制できる。さらに、その環状部材５ａ、５ｂは弾力により洗濯槽２０の内周に押し付けられるので、その洗濯槽２０と環状部材５ａ、５ｂとの間の摩擦を大きくし、ネット４ａ、４ｂの洗濯槽２０に対する相対変位を確実に規制できる。
【００２８】
その環状部材５ａ、５ｂは、弾性的に曲げ及び捩れ可能とされている。また、上記のように各ネット４ａ、４ｂは折り畳み可能である。これにより、容器１をコンパクトに収納することができる。例えば図７に示すように、環状部材５ａ、５ｂを曲げると共に捩ることで、図中の各点ａ、ｂ、ｃ、ｄの位置を図示の矢印で示す順序で変化させ、あたかも３つの円が重なった状態にすることができるので、未使用時の収納、運送や販売に際してのスペースを低減できる。特に、その環状部材５ａ、５ｂを断面が偏平な線状部材により構成する場合、その３つの円が重なった状態を、収納袋等に入れたり紐等で固定することなく維持できるので、その状態を維持するために他の部材を用いる必要性をなくせる。
【００２９】
上記構成によれば、両カバー部材２ａ、２ｂの間に収納される洗濯物１０の量に応じて、両カバー部材２ａ、２ｂ間の最大距離を変更できる。これにより、洗濯物１０が多い場合でも少ない場合でも、両カバー部材２ａ、２ｂにより洗濯物１０の型崩れを防止する上で十分な力で挟み込むことができ、収納されう洗濯物１０の量が制限されるのを防止できる。また、その両カバー部材２ａ、２ｂ間の最大距離を、両カバー部材２ａ、２ｂを相対揺動させるだけの簡単な操作で変更できる。
【００３０】
図８、図９の（１）、（２）、（３）は本発明の第２実施形態を示す。以下、第１実施形態との相違点を説明する。なお、第１実施形態と同一部分は同一符号で示す。この第２実施形態では、上記第１実施形態のファスナー３と異なるファスナー５３を用いる。すなわち、そのファスナー５３は、一対のテープ５３ａ、５３ｂと、一対の補助テープ５３ａ′、５３ｂ′と、各テープ５３ａ、５３ｂと各補助テープ５３ａ′、５３ｂ′の長手方向に沿う一側縁に並列状に設けられる歯５３ｃ、５３ｄ、５３ｃ′、５３ｄ′と、スライダー５３ｅと、摘み５３ｆとを有する。
【００３１】
各テープ５３ａ、５３ｂと補助テープ５３ａ′、５３ｂ′は可撓性を有するもので、例えば布製とされる。一方のテープ５３ａの他側縁と一方の補助テープ５３ａ′の他側縁は、一方のカバー部材２ａに縫い付けられた上記パイプ状部材６ａに縫い付けられることで、一方のカバー部材２ａの一側面２ａ′側にカバー部材２ａの周縁に沿って連結される。他方のテープ５３ｂの他側縁と他方の補助テープ５３ｂ′の他側縁は、他方のカバー部材２ｂに縫い付けられた上記パイプ状部材６ｂに縫い付けられることで、他方のカバー部材２ｂの一側面２ｂ′側にカバー部材２ｂの周縁に沿って連結される。
【００３２】
そのスライダー５３ｅは、一方のテープ５３ａの歯５３ｃと他方のテープ５３ｂの歯５３ｄとの噛み合い及び噛み合い解除を行うことができるように、両テープ５３ａ、５３ｂに相対移動可能に接続されると共に：両方のテープ５３ａ、５３ｂから取り外し可能とされている。
また、そのスライダー５３ｅは、一方の補助テープ５３ａ′の歯５３ｃ′と他方のテープ５３ｂの歯５３ｄとの噛み合い及び噛み合い解除を行うことができるように、その一方の補助テープ５３ａ′と他方のテープ５３ｂとに相対移動可能に接続されると共に：一方の補助テープ５３ａ′から取り外し可能とされている。
さらに、そのスライダー５３ｅは、一方の補助テープ５３ａ′の歯５３ｃ′と他方の補助テープ５３ｂ′の歯５３ｄ′との噛み合い及び噛み合い解除を行うことができるように、両補助テープ５３ａ′、５３ｂ′に相対移動可能に接続されると共に：他方の補助テープ５３ｂ′からも取り外し可能とされている。
【００３３】
各テープ５３ａ、５３ｂの一端と各補助テープ５３ａ′、５３ｂ′の一端には、スライダー５３ｅとの着脱を円滑に行えるように、それぞれガイド部材５３ｒ、５３ｓ、５３ｒ′、５３ｓ′が取り付けられている。各テープ５３ａ、５３ｂの他端と各補助テープ５３ａ′、５３ｂ′の他端には、それぞれスライダー５３ｅの移動のストッパー（図示省略）が取り付けられる。
【００３４】
一方のテープ５３ａにおける一方のカバー部材２ａとの連結位置Ｋ１から歯５３ｃまでの距離が、一方の補助テープ５３ａ′における一方のカバー部材２ａとの連結位置Ｋ２から歯５３ｃ′までの距離よりも大きくされている。また、他方のテープ５３ｂにおける他方のカバー部材２ｂとの連結位置Ｋ３から歯５３ｄまでの距離が、他方の補助テープ５３ｂ′における他方のカバー部材２ｂとの連結位置Ｋ４から歯５３ｄ′までの距離よりも大きくされている。なお、一方の補助テープ５３ａ′における一方のカバー部材２ａとの連結位置Ｋ２から歯５３ｃ′までの距離と、他方の補助テープ５３ｂ′における他方のカバー部材２ｂとの連結位置Ｋ４から歯５３ｄ′までの距離とは、本実施形態では等しくしている。
これにより、図９の（１）に示す一方のテープ５３ａの歯５３ｃと他方のテープ５３ｂの歯５３ｄとの噛み合い状態における両カバー部材２ａ、２ｂ間の最大距離Ｄ１を、図９の（２）に示す一方の補助テープ５３ａ′の歯５３ｃ′と他方のテープ５３ｂの歯５３ｄとの噛み合い状態における両カバー部材２ａ、２ｂ間の最大距離Ｄ２よりも大きくできる。また、図９の（２）に示す一方の補助テープ５３ａ′の歯５３ｃ′と他方のテープ５３ｂの歯５３ｄとの噛み合い状態における両カバー部材２ａ、２ｂ間の最大距離Ｄ２を、図９の（３）に示す一方の補助テープ５３ａ′の歯５３ｃ′と他方の補助テープ５３ｂ′の歯５３ｄ′との噛み合い状態における両カバー部材２ａ、２ｂ間の最大距離Ｄ３よりも大きくできる。これにより、その一方のカバー部材２ａの周縁と他方のカバー部材２ｂの周縁との間の開口のファスナー５３による閉鎖状態における両カバー部材２ａ、２ｂ間の最大距離を３段階に変更できる。他は第１実施形態と同様である。
【００３５】
なお、第２実施形態において、一方の補助テープ５３ａ′における一方のカバー部材２ａとの連結位置Ｋ２から歯５３ｃ′までの距離と、他方の補助テープ５３ｂ′における他方のカバー部材２ｂとの連結位置Ｋ４から歯５３ｄ′までの距離とを異なるものとしてもよい。この場合、他方の補助テープ５３ｂ′の歯５３ｄ′と一方のテープ５３ａの歯５３ｃとをスライダー５３ｅにより噛み合わせることで、その開口の閉鎖状態における両カバー部材２ａ、２ｂ間の最大距離を４段階に変更できる。
【００３６】
本発明は上記実施形態に限定されない。本発明の容器の用途は洗濯ネットに限定されず、例えば図１の実施形態の容器は、そのまま旅行用のワイシャツ等の容器として使用できる。この場合、その容器のカバー部材を構成するネットが柔軟であっても、そのネットの周縁に取り付けられる環状部材は弾性を有することから、その収納されるワイシャツ等にしわを付けないで持ち運びでき、また、衝撃が作用してもネットを傷めるのを防止でき、さらに、使用後はコンパクトに収納できる利点を有する。その他の形態として、図１０の第３実施形態に示すように、上記実施形態の容器１に取っ手１００を取り付けることで、バッグとして利用するようにしてもよい。この場合、そのカバー部材のネットに代えて、収納物を外部から見えなくする不透明な布やプラスチックシート等を用いてもよい。また、上記第２実施形態において、各カバー部材それぞれに、複数の補助テープを連結し、各補助テープにおけるカバー部材との連結位置から歯までの距離を互いに異なるものとすることで、その開口の閉鎖状態における両カバー部材間の最大距離を多段階に変更してもよい。
【００３７】
【発明の効果】
本発明によれば、収納物品が多い場合でも少ない場合でも十分な力で収納物品を両カバー部材により挟み込み、収納物品が少ない場合は不必要に嵩張るのを防止でき、また、収納物品の量が制限されるのを防止でき、洗濯ネットとして利用することで洗濯物の型崩れを防止でき、コンパクト化して未使用時の運送や販売に際してのスペースを低減できる容器を提供できる。
【図面の簡単な説明】
【図１】本発明の第１実施形態の容器の斜視図
【図２】本発明の第１実施形態の容器の洗濯前における平面図
【図３】本発明の第１実施形態のファスナーの正面図
【図４】本発明の第１実施形態の容器の（１）は大容量状態での要部の断面図、（２）は小容量状態での要部の断面図
【図５】（１）本発明の第１実施形態の容器のスライダーと摘みの斜視図、（２）は第１実施形態の容器のスライダーと摘みの変形例の斜視図
【図６】（１）〜（４）は、本発明の第１実施形態の容器の洗濯槽内での設置状態を示す図
【図７】本発明の第１実施形態の環状部材のコンパクト化の順序を示す図
【図８】本発明の第２実施形態のファスナーの正面図
【図９】（１）〜（３）は、本発明の第２実施形態の容器の断面図
【図１０】本発明の第３実施形態の容器の側面図
【符号の説明】
１  容器
２ａ、２ｂ  カバー部材
３、５３  ファスナー
３ａ、３ｂ、５３ａ、５３ｂ  テープ
３ｃ、３ｄ、５３ｃ、５３ｄ、５３ｃ′、５３ｄ′  歯
３ｅ、５３ｅ  スライダー
４ａ、４ｂ  ネット
５ａ、５ｂ  環状部材
【図１】
0003842373.tif 000002
【図２】
0003842373.tif 000003
【図３】
0003842373.tif 000004
【図４】
0003842373.tif 000005
【図５】
0003842373.tif 000006
【図６】
0003842373.tif 000007
【図７】
0003842373.tif 000008
【図８】
0003842373.tif 000009
【図９】
0003842373.tif 000010
【図１０】
0003842373.tif 000011